(57)【特許請求の範囲】
【請求項１】
少なくとも紹介者端末と街頭端末と紹介配信サーバと被紹介者端末とを有し，街頭端末で放映される番組の紹介と，街頭端末に関連する情報の提供を，被紹介者端末に行う番組紹介および情報提供システムであって，
前記街頭端末は，
設置場所周辺の不特定多数を対象に，番組を表示する手段と，
番組を視聴している任意の視聴者が，紹介したい番組を特定するための情報を常時発信する手段とを備え，
前記紹介者端末は，
前記街頭端末の番組を視聴している紹介者の入力により，紹介する番組および場面を特定するための情報を前記街頭端末より受信する手段と，
紹介する番組および場面を特定する情報と，紹介者が指定した被紹介者情報とを含む紹介情報を作成し，前記紹介配信サーバへ送出する手段とを備え，
前記紹介配信サーバは，
前記紹介情報を取得すると，紹介要求が許可されている条件を満たしているかどうかをチェックし承認を行う手段と，
少なくとも紹介情報で指定された番組のタイトル情報と紹介者の情報を，指定された被紹介者の前記被紹介者端末に送出する手段と，
前記被紹介者端末から，紹介そのものや，紹介された番組の視聴を拒否する情報を取得し，前記紹介者端末に視聴を拒否された旨を示す情報を送出する手段と，
前記被紹介者端末からの紹介映像視聴要求に対し，前記紹介情報中の番組および場面を特定する情報に基づいて紹介映像を作成し，前記被紹介者端末に配信する手段と，
前記紹介情報中に含まれる，紹介される番組が放映されていた街頭端末を特定する情報に基づいて，その街頭端末やその周辺に関連する情報を取得して前記被紹介者端末に提供する手段と，
前記被紹介者端末からの本編映像視聴要求に対し，紹介者により紹介された番組の本編映像を特定し，前記被紹介者端末に配信する手段とを備え，
前記被紹介者端末は，
前記紹介配信サーバから取得した，紹介される番組のタイトル情報と紹介者の情報を表示し，前記被紹介者の視聴を拒否する入力があった場合に，前記紹介配信サーバに視聴拒否情報を送出する手段と，
被紹介者の入力により，前記紹介映像の視聴を前記紹介配信サーバに要求する手段と，
前記紹介配信サーバから配信された，前記紹介映像および街頭端末やその周辺に関連する情報を表示する手段と，
被紹介者の入力により，紹介された番組の本編映像の視聴を前記紹介配信サーバに要求する手段と，
前記紹介配信サーバから配信された前記本編映像を表示する手段とを備える
ことを特徴とする番組紹介・情報提供システム。
【請求項２】
少なくとも紹介者端末と街頭端末と紹介配信サーバと被紹介者端末とを有し，街頭端末で放映される番組の紹介と，被紹介者端末の周辺に関連する情報の提供を，被紹介者端末に行う番組紹介および情報提供システムであって，
前記街頭端末は，
設置場所周辺の不特定多数を対象に，番組を表示する手段と，
番組を視聴している任意の視聴者が，紹介したい番組を特定するための情報を常時発信する手段と，
前記紹介者端末より番組紹介を依頼する情報を受信し，紹介者が紹介しようとしている番組を特定する手段と，
紹介する番組および場面を特定する情報と，紹介者が指定した被紹介者情報とを含む紹介情報を作成し，前記紹介配信サーバへ送出する手段とを備え，
前記紹介者端末は，
前記街頭端末の番組を視聴している紹介者の入力により，紹介する番組および場面を特定するための情報を前記街頭端末より受信する手段と，
紹介を依頼するための情報を作成し前記街頭端末に送出する手段とを備え，
前記紹介配信サーバは，
前記紹介情報を取得すると，紹介要求が許可されている条件を満たしているかどうかをチェックし承認を行う手段と，
少なくとも紹介情報で指定された番組のタイトル情報と紹介者の情報を，指定された被紹介者の前記被紹介者端末に送出する手段と，
前記被紹介者端末から，紹介そのものや，紹介された番組の視聴を拒否する情報を取得し，前記紹介者端末に視聴を拒否された旨を示す情報を送出する手段と，
前記被紹介者端末からの紹介映像視聴要求に対し，前記紹介情報中の番組および場面を特定する情報に基づいて紹介映像を作成し，前記被紹介者端末に配信する手段と，
前記被紹介者端末の位置を特定するための情報を取得すると，前記被紹介者端末がある場所およびその周辺に関連する情報を取得する手段と，
前記被紹介者端末からの本編映像視聴要求に対し，紹介者により紹介された番組の本編映像を特定し，前記被紹介者端末に配信する手段とを備え，
前記被紹介者端末は，
前記紹介配信サーバから取得した，紹介される番組のタイトル情報と紹介者の情報を表示し，被紹介者の視聴を拒否する入力があった場合に，前記紹介配信サーバに視聴拒否情報を送出する手段と，
番組の紹介を受けた時の前記被紹介者端末の位置を特定する情報を取得する手段と，
被紹介者の入力により，前記紹介映像の視聴を前記紹介配信サーバに要求する手段と，
前記紹介配信サーバから配信された前記紹介映像および被紹介者端末の周辺に関連する情報を表示する手段と，
被紹介者の入力により，紹介された番組の本編映像の視聴を前記紹介配信サーバに要求する手段と，
前記紹介配信サーバから配信された前記本編映像を表示する手段とを備える
ことを特徴とする番組紹介・情報提供システム。
【請求項３】
少なくとも紹介者端末と街頭端末と紹介配信サーバと被紹介者端末とを有し，街頭端末で放映される番組の紹介を，被紹介者端末に行う番組紹介および情報提供システムであって，
前記街頭端末は，
設置場所周辺の不特定多数を対象に，番組を表示する手段と，
番組を視聴している任意の視聴者が，紹介したい番組を特定するための情報を常時発信する手段とを備え，
前記紹介者端末は，
前記街頭端末の番組を視聴している紹介者の入力により，紹介する番組および場面を特定するための情報を前記街頭端末より受信する手段と，
紹介する番組および場面を特定する情報と，紹介者が指定した被紹介者情報とを含む紹介情報を作成し，前記紹介配信サーバへ送出する手段とを備え，
前記紹介配信サーバは，
前記紹介情報を取得すると，紹介要求が許可されている条件を満たしているかどうかをチェックし承認を行う手段と，
少なくとも紹介情報で指定された番組のタイトル情報と紹介者の情報を，指定された被紹介者の前記被紹介者端末に送出する手段と，
前記被紹介者端末から，紹介そのものや，紹介された番組の視聴を拒否する情報を取得し，前記紹介者端末に視聴を拒否された旨を示す情報を送出する手段と，
前記被紹介者端末からの紹介映像視聴要求に対し，前記紹介情報中の番組および場面を特定する情報に基づいて紹介映像を作成し，前記被紹介者端末に配信する手段と，
前記被紹介者端末からの本編映像視聴要求に対し，紹介者により紹介された番組の本編映像を特定し，前記被紹介者端末に配信する手段とを備え，
前記被紹介者端末は，
前記紹介配信サーバから取得した，紹介される番組のタイトル情報と紹介者の情報を表示し，前記被紹介者の視聴を拒否する入力があった場合に，前記紹介配信サーバに視聴拒否情報を送出する手段と，
被紹介者の入力により，前記紹介映像の視聴を前記紹介配信サーバに要求する手段と，
前記紹介配信サーバから配信された前記紹介映像を表示する手段と，
被紹介者の入力により，紹介された番組の本編映像の視聴を前記紹介配信サーバに要求する手段と，
前記紹介配信サーバから配信された前記本編映像を表示する手段とを備える
ことを特徴とする番組紹介・情報提供システム。
【請求項４】
少なくとも紹介者端末と街頭端末と紹介配信サーバと被紹介者端末とを有し，街頭端末で放映される番組の紹介を，被紹介者端末に行う番組紹介および情報提供システムであって，
前記街頭端末は，
設置場所周辺の不特定多数を対象に，番組を表示する手段と，
番組を視聴している任意の視聴者が，紹介したい番組を特定するための情報を常時発信する手段と，
前記紹介者端末より番組紹介を依頼する情報を受信し，紹介者が紹介しようとしている番組を特定する手段と，
紹介する番組および場面を特定する情報と，紹介者が指定した被紹介者情報とを含む紹介情報を作成し，前記紹介配信サーバへ送出する手段とを備え，
前記紹介者端末は，
前記街頭端末の番組を視聴している紹介者の入力により，紹介する番組および場面を特定するための情報を前記街頭端末より受信する手段と，
紹介を依頼するための情報を作成し前記街頭端末に送出する手段とを備え，
前記紹介配信サーバは，
前記紹介情報を取得すると，紹介要求が許可されている条件を満たしているかどうかをチェックし承認を行う手段と，
少なくとも紹介情報で指定された番組のタイトル情報と紹介者の情報を，指定された被紹介者の前記被紹介者端末に送出する手段と，
前記被紹介者端末から，紹介そのものや，紹介された番組の視聴を拒否する情報を取得し，前記紹介者端末に視聴を拒否された旨を示す情報を送出する手段と，
前記被紹介者端末からの紹介映像視聴要求に対し，前記紹介情報中の番組および場面を特定する情報に基づいて紹介映像を作成し，前記被紹介者端末に配信する手段と，
前記被紹介者端末からの本編映像視聴要求に対し，紹介者により紹介された番組の本編映像を特定し，前記被紹介者端末に配信する手段とを備え，
前記被紹介者端末は，
前記紹介配信サーバから取得した，紹介される番組のタイトル情報と紹介者の情報を表示し，被紹介者の視聴を拒否する入力があった場合に，前記紹介配信サーバに視聴拒否情報を送出する手段と，
被紹介者の入力により，前記紹介映像の視聴を前記紹介配信サーバに要求する手段と，
前記紹介配信サーバから配信された前記紹介映像を表示する手段と，
被紹介者の入力により，紹介された番組の本編映像の視聴を前記紹介配信サーバに要求する手段と，
前記紹介配信サーバから配信された前記本編映像を表示する手段とを備える
ことを特徴とする番組紹介・情報提供システム。
【請求項５】
少なくとも，番組情報受信手段および紹介情報作成・送出手段を備える紹介者端末と，番組表示手段および番組情報発信手段を備える街頭端末と，紹介要求承認手段および紹介映像情報作成・送出手段および視聴拒否処理手段および紹介映像作成・配信手段および関連情報取得手段および本編映像特定・配信手段を備える紹介配信サーバと，紹介映像情報表示手段および紹介映像要求手段および映像表示手段および本編映像要求手段を備える被紹介者端末とを有する番組紹介および情報提供システムにおいて，街頭端末で放映される番組の紹介と，街頭端末に関連する情報の提供を，被紹介者端末に行う番組紹介・情報提供処理方法であって，
前記街頭端末の番組表示手段が，設置場所周辺の不特定多数を対象に，番組を表示する過程と，
前記街頭端末の番組情報発信手段が，番組を視聴している任意の視聴者が紹介したい番組を特定するための情報を常時発信する過程と，
前記紹介者端末の番組情報受信手段が，前記街頭端末の番組を視聴している紹介者の入力により，紹介する番組および場面を特定するための情報を前記街頭端末より受信する過程と，
前記紹介者端末の紹介情報作成・送出手段が，紹介する番組および場面を特定する情報と，紹介者が指定した被紹介者情報とを含む紹介情報を作成し，前記紹介配信サーバへ送出する過程と，
前記紹介配信サーバの紹介要求承認手段が，前記紹介情報を取得すると，紹介要求が許可されている条件を満たしているかどうかをチェックし承認を行う過程と，
前記紹介配信サーバの紹介映像情報作成・送出手段が，少なくとも紹介情報で指定された番組のタイトル情報と紹介者の情報を，指定された被紹介者の前記被紹介者端末に送出する過程と，
前記被紹介者端末の紹介映像情報表示手段が，前記紹介配信サーバから取得した，紹介される番組のタイトル情報と紹介者の情報を表示し，被紹介者の視聴を拒否する入力があった場合に，前記紹介配信サーバに視聴拒否情報を送出する過程と，
前記紹介配信サーバの視聴拒否処理手段が，前記被紹介者端末から，紹介そのものや，紹介された番組の視聴を拒否する情報を取得し，前記紹介者端末に視聴を拒否された旨を示す情報を送出する過程と，
前記被紹介者端末の紹介映像要求手段が，被紹介者の入力により，前記紹介映像の視聴を前記紹介配信サーバに要求する過程と，
前記紹介配信サーバの紹介映像作成・配信手段が，前記被紹介者端末からの紹介映像視聴要求に対し，前記紹介情報中の番組および場面を特定する情報に基づいて紹介映像を作成し，前記被紹介者端末に配信する過程と，
前記紹介配信サーバの関連情報取得手段が，前記紹介情報中に含まれる，紹介される番組が放映されていた街頭端末を特定する情報に基づいて，その街頭端末やその周辺に関連する情報を取得して前記被紹介者端末に提供する過程と，
前記被紹介者端末の映像表示手段が，前記紹介配信サーバから配信された，前記紹介映像および街頭端末やその周辺に関連する情報を表示する過程と，
前記被紹介者端末の本編映像要求手段が，被紹介者の入力により，紹介された番組の本編映像の視聴を前記紹介配信サーバに要求する過程と，
前記紹介配信サーバの本編映像特定・配信手段が，前記被紹介者端末からの本編映像視聴要求に対し，紹介者により紹介された番組の本編映像を特定し，前記被紹介者端末に配信する過程と，
前記被紹介者端末の映像表示手段が，前記紹介配信サーバから配信された前記本編映像を表示する過程とを有する
ことを特徴とする番組紹介・情報提供処理方法。
【請求項６】
少なくとも，番組情報受信手段および紹介依頼情報作成・送出手段を備える紹介者端末と，番組表示手段および番組情報発信手段およびコンテンツ情報特定手段および紹介情報作成・送出手段を備える街頭端末と，紹介要求承認手段および紹介映像情報作成・送出手段および視聴拒否処理手段および紹介映像作成・配信手段および関連情報取得手段および本編映像特定・配信手段を備える紹介配信サーバと，紹介映像情報表示手段および位置情報取得手段および紹介映像要求手段および映像表示手段および本編映像要求手段を備える被紹介者端末とを有する番組紹介および情報提供システムにおいて，街頭端末で放映される番組の紹介と，被紹介者端末の周辺に関連する情報の提供を，被紹介者端末に行う番組紹介・情報提供処理方法であって，
前記街頭端末の番組表示手段が，設置場所周辺の不特定多数を対象に，番組を表示する過程と，
前記街頭端末の番組情報発信手段が，番組を視聴している任意の視聴者が，紹介したい番組を特定するための情報を常時発信する過程と，
前記紹介者端末の番組情報受信手段が，前記街頭端末の番組を視聴している紹介者の入力により，紹介する番組および場面を特定するための情報を前記街頭端末より受信する過程と，
前記紹介者端末の紹介依頼情報作成・送出手段が，紹介を依頼するための情報を作成し前記街頭端末に送出する過程と，
前記街頭端末のコンテンツ情報特定手段が，前記紹介者端末より番組紹介を依頼する情報を受信し，紹介者が紹介しようとしている番組を特定する過程と，
前記街頭端末の紹介情報作成・送出手段が，紹介する番組および場面を特定する情報と，紹介者が指定した被紹介者情報とを含む紹介情報を作成し，前記紹介配信サーバへ送出する過程と，
前記紹介配信サーバの紹介要求承認手段が，前記紹介情報を取得すると，紹介要求が許可されている条件を満たしているかどうかをチェックし承認を行う過程と，
前記紹介配信サーバの紹介映像情報作成・送出手段が，少なくとも紹介情報で指定された番組のタイトル情報と紹介者の情報を，指定された被紹介者の前記被紹介者端末に送出する過程と，
前記被紹介者端末の紹介映像情報表示手段が，前記紹介配信サーバから取得した，紹介される番組のタイトル情報と紹介者の情報を表示し，被紹介者の視聴を拒否する入力があった場合に，前記紹介配信サーバに視聴拒否情報を送出する過程と，
前記紹介配信サーバの視聴拒否処理手段が，前記被紹介者端末から，紹介そのものや，紹介された番組の視聴を拒否する情報を取得し，前記紹介者端末に視聴を拒否された旨を示す情報を送出する過程と，
前記被紹介者端末の位置情報取得手段が，番組の紹介を受けた時の前記被紹介者端末の位置を特定する情報を取得する過程と，
前記被紹介者端末の紹介映像要求手段が，被紹介者の入力により，前記紹介映像の視聴を前記紹介配信サーバに要求する過程と，
前記紹介配信サーバの紹介映像作成・配信手段が，前記被紹介者端末からの紹介映像視聴要求に対し，前記紹介情報中の番組および場面を特定する情報に基づいて紹介映像を作成し，前記被紹介者端末に配信する過程と，
前記紹介配信サーバの関連情報取得手段が，前記被紹介者端末の位置を特定するための情報を取得すると，前記被紹介者端末がある場所およびその周辺に関連する情報を取得する過程と，
前記被紹介者端末の映像表示手段が，前記紹介配信サーバから配信された前記紹介映像および被紹介者端末の周辺に関連する情報を表示する過程と，
前記被紹介者端末の本編映像要求手段が，被紹介者の入力により，紹介された番組の本編映像の視聴を前記紹介配信サーバに要求する過程と, 
前記紹介配信サーバの本編映像特定・配信手段が，前記被紹介者端末からの本編映像視聴要求に対し，紹介者により紹介された番組の本編映像を特定し，前記被紹介者端末に配信する過程と，
前記被紹介者端末の映像表示手段が，前記紹介配信サーバから配信された前記本編映像を表示する過程とを有する
ことを特徴とする番組紹介・情報提供処理方法。
【請求項７】
少なくとも，番組情報受信手段および紹介情報作成・送出手段を備える紹介者端末と，番組表示手段および番組情報発信手段を備える街頭端末と，紹介要求承認手段および紹介映像情報作成・送出手段および視聴拒否処理手段および紹介映像作成・配信手段および本編映像特定・配信手段を備える紹介配信サーバと，紹介映像情報表示手段および紹介映像要求手段および映像表示手段および本編映像要求手段を備える被紹介者端末とを有する番組紹介および情報提供システムにおいて，街頭端末で放映される番組の紹介を，被紹介者端末に行う番組紹介・情報提供処理方法であって，
前記街頭端末の番組表示手段が，設置場所周辺の不特定多数を対象に，番組を表示する過程と，
前記街頭端末の番組情報発信手段が，番組を視聴している任意の視聴者が紹介したい番組を特定するための情報を常時発信する過程と，
前記紹介者端末の番組情報受信手段が，前記街頭端末の番組を視聴している紹介者の入力により，紹介する番組および場面を特定するための情報を前記街頭端末より受信する過程と，
前記紹介者端末の紹介情報作成・送出手段が，紹介する番組および場面を特定する情報と，紹介者が指定した被紹介者情報とを含む紹介情報を作成し，前記紹介配信サーバへ送出する過程と，
前記紹介配信サーバの紹介要求承認手段が，前記紹介情報を取得すると，紹介要求が許可されている条件を満たしているかどうかをチェックし承認を行う過程と，
前記紹介配信サーバの紹介映像情報作成・送出手段が，少なくとも紹介情報で指定された番組のタイトル情報と紹介者の情報を，指定された被紹介者の前記被紹介者端末に送出する過程と，
前記被紹介者端末の紹介映像情報表示手段が，前記紹介配信サーバから取得した，紹介される番組のタイトル情報と紹介者の情報を表示し，被紹介者の視聴を拒否する入力があった場合に，前記紹介配信サーバに視聴拒否情報を送出する過程と，
前記紹介配信サーバの視聴拒否処理手段が，前記被紹介者端末から，紹介そのものや，紹介された番組の視聴を拒否する情報を取得し，前記紹介者端末に視聴を拒否された旨を示す情報を送出する過程と，
前記被紹介者端末の紹介映像要求手段が，被紹介者の入力により，前記紹介映像の視聴を前記紹介配信サーバに要求する過程と，
前記紹介配信サーバの紹介映像作成・配信手段が，前記被紹介者端末からの紹介映像視聴要求に対し，前記紹介情報中の番組および場面を特定する情報に基づいて紹介映像を作成し，前記被紹介者端末に配信する過程と，
前記被紹介者端末の映像表示手段が，前記紹介配信サーバから配信された前記紹介映像を表示する過程と，
前記被紹介者端末の本編映像要求手段が，被紹介者の入力により，紹介された番組の本編映像の視聴を前記紹介配信サーバに要求する過程と，
前記紹介配信サーバの本編映像特定・配信手段が，前記被紹介者端末からの本編映像視聴要求に対し，紹介者により紹介された番組の本編映像を特定し，前記被紹介者端末に配信する過程と，
前記被紹介者端末の映像表示手段が，前記紹介配信サーバから配信された前記本編映像を表示する過程とを有する
ことを特徴とする番組紹介・情報提供処理方法。
【請求項８】
少なくとも，番組情報受信手段および紹介依頼情報作成・送出手段を備える紹介者端末と，番組表示手段および番組情報発信手段およびコンテンツ情報特定手段および紹介情報作成・送出手段を備える街頭端末と，紹介要求承認手段および紹介映像情報作成・送出手段および視聴拒否処理手段および紹介映像作成・配信手段および本編映像特定・配信手段を備える紹介配信サーバと，紹介映像情報表示手段および紹介映像要求手段および映像表示手段および本編映像要求手段を備える被紹介者端末とを有する番組紹介および情報提供システムにおいて，街頭端末で放映される番組の紹介を，被紹介者端末に行う番組紹介・情報提供処理方法であって，
前記街頭端末の番組表示手段が，設置場所周辺の不特定多数を対象に，番組を表示する過程と，
前記街頭端末の番組情報発信手段が，番組を視聴している任意の視聴者が，紹介したい番組を特定するための情報を常時発信する過程と，
前記紹介者端末の番組情報受信手段が，前記街頭端末の番組を視聴している紹介者の入力により，紹介する番組および場面を特定するための情報を前記街頭端末より受信する過程と，
前記紹介者端末の紹介依頼情報作成・送出手段が，紹介を依頼するための情報を作成し前記街頭端末に送出する過程と，
前記街頭端末のコンテンツ情報特定手段が，前記紹介者端末より番組紹介を依頼する情報を受信し，紹介者が紹介しようとしている番組を特定する過程と，
前記街頭端末の紹介情報作成・送出手段が，紹介する番組および場面を特定する情報と，紹介者が指定した被紹介者情報とを含む紹介情報を作成し，前記紹介配信サーバへ送出する過程と，
前記紹介配信サーバの紹介要求承認手段が，前記紹介情報を取得すると，紹介要求が許可されている条件を満たしているかどうかをチェックし承認を行う過程と，
前記紹介配信サーバの紹介映像情報作成・送出手段が，少なくとも紹介情報で指定された番組のタイトル情報と紹介者の情報を，指定された被紹介者の前記被紹介者端末に送出する過程と，
前記被紹介者端末の紹介映像情報表示手段が，前記紹介配信サーバから取得した，紹介される番組のタイトル情報と紹介者の情報を表示し，被紹介者の視聴を拒否する入力があった場合に，前記紹介配信サーバに視聴拒否情報を送出する過程と，
前記紹介配信サーバの視聴拒否処理手段が，前記被紹介者端末から，紹介そのものや，紹介された番組の視聴を拒否する情報を取得し，前記紹介者端末に視聴を拒否された旨を示す情報を送出する過程と，
前記被紹介者端末の紹介映像要求手段が，被紹介者の入力により，前記紹介映像の視聴を前記紹介配信サーバに要求する過程と，
前記紹介配信サーバの紹介映像作成・配信手段が，前記被紹介者端末からの紹介映像視聴要求に対し，前記紹介情報中の番組および場面を特定する情報に基づいて紹介映像を作成し，前記被紹介者端末に配信する過程と，
前記被紹介者端末の映像表示手段が，前記紹介配信サーバから配信された前記紹介映像を表示する過程と，
前記被紹介者端末の本編映像要求手段が，被紹介者の入力により，紹介された番組の本編映像の視聴を前記紹介配信サーバに要求する過程と, 
前記紹介配信サーバの本編映像特定・配信手段が，前記被紹介者端末からの本編映像視聴要求に対し，紹介者により紹介された番組の本編映像を特定し，前記被紹介者端末に配信する過程と，
前記被紹介者端末の映像表示手段が，前記紹介配信サーバから配信された前記本編映像を表示する過程とを有する
ことを特徴とする番組紹介・情報提供処理方法。
【請求項９】
少なくとも紹介者端末と街頭端末と紹介配信サーバと被紹介者端末とを有し，街頭端末で放映される番組の紹介と，街頭端末に関連する情報の提供を，被紹介者端末に行う番組紹介および情報提供システムをコンピュータを用いて実現するための番組紹介・情報提供システム用プログラムであって，
前記街頭端末のコンピュータを，
設置場所周辺の不特定多数を対象に，番組を表示する手段と，
番組を視聴している任意の視聴者が，紹介したい番組を特定するための情報を常時発信する手段として機能させるためのプログラムと，
前記紹介者端末のコンピュータを，
前記街頭端末の番組を視聴している紹介者の入力により，紹介する番組および場面を特定するための情報を前記街頭端末より受信する手段と，
紹介する番組および場面を特定する情報と，紹介者が指定した被紹介者情報とを含む紹介情報を作成し，前記紹介配信サーバへ送出する手段として機能させるためのプログラムと，
前記紹介配信サーバのコンピュータを，
前記紹介情報を取得すると，紹介要求が許可されている条件を満たしているかどうかをチェックし承認を行う手段と，
少なくとも紹介情報で指定された番組のタイトル情報と紹介者の情報を，指定された被紹介者の前記被紹介者端末に送出する手段と，
前記被紹介者端末から，紹介そのものや，紹介された番組の視聴を拒否する情報を取得し，前記紹介者端末に視聴を拒否された旨を示す情報を送出する手段と，
前記被紹介者端末からの紹介映像視聴要求に対し，前記紹介情報中の番組および場面を特定する情報に基づいて紹介映像を作成し，前記被紹介者端末に配信する手段と，
前記紹介情報中に含まれる，紹介される番組が放映されていた街頭端末を特定する情報に基づいて，その街頭端末やその周辺に関連する情報を取得して前記被紹介者端末に提供する手段と，
前記被紹介者端末からの本編映像視聴要求に対し，紹介者により紹介された番組の本編映像を特定し，前記被紹介者端末に配信する手段として機能させるためのプログラムと，
前記被紹介者端末のコンピュータを，
前記紹介配信サーバから取得した，紹介される番組のタイトル情報と紹介者の情報を表示し，前記被紹介者の視聴を拒否する入力があった場合に，前記紹介配信サーバに視聴拒否情報を送出する手段と，
被紹介者の入力により，前記紹介映像の視聴を前記紹介配信サーバに要求する手段と，
前記紹介配信サーバから配信された，前記紹介映像および街頭端末やその周辺に関連する情報を表示する手段と，
被紹介者の入力により，紹介された番組の本編映像の視聴を前記紹介配信サーバに要求する手段と，
前記紹介配信サーバから配信された前記本編映像を表示する手段として機能させるためのプログラムと
からなる番組紹介・情報提供システム用プログラム。
【請求項１０】
少なくとも紹介者端末と街頭端末と紹介配信サーバと被紹介者端末とを有し，街頭端末で放映される番組の紹介と，被紹介者端末の周辺に関連する情報の提供を，被紹介者端末に行う番組紹介および情報提供システムをコンピュータを用いて実現するための番組紹介・情報提供システム用プログラムであって，
前記街頭端末のコンピュータを，
設置場所周辺の不特定多数を対象に，番組を表示する手段と，
番組を視聴している任意の視聴者が，紹介したい番組を特定するための情報を常時発信する手段と，
前記紹介者端末より番組紹介を依頼する情報を受信し，紹介者が紹介しようとしている番組を特定する手段と，
紹介する番組および場面を特定する情報と，紹介者が指定した被紹介者情報とを含む紹介情報を作成し，前記紹介配信サーバへ送出する手段として機能させるためのプログラムと，
前記紹介者端末のコンピュータを，
前記街頭端末の番組を視聴している紹介者の入力により，紹介する番組および場面を特定するための情報を前記街頭端末より受信する手段と，
紹介を依頼するための情報を作成し前記街頭端末に送出する手段として機能させるためのプログラムと，
前記紹介配信サーバのコンピュータを，
前記紹介情報を取得すると，紹介要求が許可されている条件を満たしているかどうかをチェックし承認を行う手段と，
少なくとも紹介情報で指定された番組のタイトル情報と紹介者の情報を，指定された被紹介者の前記被紹介者端末に送出する手段と，
前記被紹介者端末から，紹介そのものや，紹介された番組の視聴を拒否する情報を取得し，前記紹介者端末に視聴を拒否された旨を示す情報を送出する手段と，
前記被紹介者端末からの紹介映像視聴要求に対し，前記紹介情報中の番組および場面を特定する情報に基づいて紹介映像を作成し，前記被紹介者端末に配信する手段と，
前記被紹介者端末の位置を特定するための情報を取得すると，前記被紹介者端末がある場所およびその周辺に関連する情報を取得する手段と，
前記被紹介者端末からの本編映像視聴要求に対し，紹介者により紹介された番組の本編映像を特定し，前記被紹介者端末に配信する手段として機能させるためのプログラムと，
前記被紹介者端末のコンピュータを，
前記紹介配信サーバから取得した，紹介される番組のタイトル情報と紹介者の情報を表示し，被紹介者の視聴を拒否する入力があった場合に，前記紹介配信サーバに視聴拒否情報を送出する手段と，
番組の紹介を受けた時の前記被紹介者端末の位置を特定する情報を取得する手段と，
被紹介者の入力により，前記紹介映像の視聴を前記紹介配信サーバに要求する手段と，
前記紹介配信サーバから配信された前記紹介映像および被紹介者端末の周辺に関連する情報を表示する手段と，
被紹介者の入力により，紹介された番組の本編映像の視聴を前記紹介配信サーバに要求する手段と，
前記紹介配信サーバから配信された前記本編映像を表示する手段として機能させるためのプログラムと
からなる番組紹介・情報提供システム用プログラム。
【請求項１１】
少なくとも紹介者端末と街頭端末と紹介配信サーバと被紹介者端末とを有し，街頭端末で放映される番組の紹介を，被紹介者端末に行う番組紹介および情報提供システムをコンピュータを用いて実現するための番組紹介・情報提供システム用プログラムであって，
前記街頭端末のコンピュータを，
設置場所周辺の不特定多数を対象に，番組を表示する手段と，
番組を視聴している任意の視聴者が，紹介したい番組を特定するための情報を常時発信する手段として機能させるためのプログラムと，
前記紹介者端末のコンピュータを，
前記街頭端末の番組を視聴している紹介者の入力により，紹介する番組および場面を特定するための情報を前記街頭端末より受信する手段と，
紹介する番組および場面を特定する情報と，紹介者が指定した被紹介者情報とを含む紹介情報を作成し，前記紹介配信サーバへ送出する手段として機能させるためのプログラムと，
前記紹介配信サーバのコンピュータを，
前記紹介情報を取得すると，紹介要求が許可されている条件を満たしているかどうかをチェックし承認を行う手段と，
少なくとも紹介情報で指定された番組のタイトル情報と紹介者の情報を，指定された被紹介者の前記被紹介者端末に送出する手段と，
前記被紹介者端末から，紹介そのものや，紹介された番組の視聴を拒否する情報を取得し，前記紹介者端末に視聴を拒否された旨を示す情報を送出する手段と，
前記被紹介者端末からの紹介映像視聴要求に対し，前記紹介情報中の番組および場面を特定する情報に基づいて紹介映像を作成し，前記被紹介者端末に配信する手段と，
前記被紹介者端末からの本編映像視聴要求に対し，紹介者により紹介された番組の本編映像を特定し，前記被紹介者端末に配信する手段として機能させるためのプログラムと，
前記被紹介者端末のコンピュータを，
前記紹介配信サーバから取得した，紹介される番組のタイトル情報と紹介者の情報を表示し，前記被紹介者の視聴を拒否する入力があった場合に，前記紹介配信サーバに視聴拒否情報を送出する手段と，
被紹介者の入力により，前記紹介映像の視聴を前記紹介配信サーバに要求する手段と，
前記紹介配信サーバから配信された，前記紹介映像を表示する手段と，
被紹介者の入力により，紹介された番組の本編映像の視聴を前記紹介配信サーバに要求する手段と，
前記紹介配信サーバから配信された前記本編映像を表示する手段として機能させるためのプログラムと
からなる番組紹介・情報提供システム用プログラム。
【請求項１２】
少なくとも紹介者端末と街頭端末と紹介配信サーバと被紹介者端末とを有し，街頭端末で放映される番組の紹介を，被紹介者端末に行う番組紹介および情報提供システムをコンピュータを用いて実現するための番組紹介・情報提供システム用プログラムであって，
前記街頭端末のコンピュータを，
設置場所周辺の不特定多数を対象に，番組を表示する手段と，
番組を視聴している任意の視聴者が，紹介したい番組を特定するための情報を常時発信する手段と，
前記紹介者端末より番組紹介を依頼する情報を受信し，紹介者が紹介しようとしている番組を特定する手段と，
紹介する番組および場面を特定する情報と，紹介者が指定した被紹介者情報とを含む紹介情報を作成し，前記紹介配信サーバへ送出する手段として機能させるためのプログラムと，
前記紹介者端末のコンピュータを，
前記街頭端末の番組を視聴している紹介者の入力により，紹介する番組および場面を特定するための情報を前記街頭端末より受信する手段と，
紹介を依頼するための情報を作成し前記街頭端末に送出する手段として機能させるためのプログラムと，
前記紹介配信サーバのコンピュータを，
前記紹介情報を取得すると，紹介要求が許可されている条件を満たしているかどうかをチェックし承認を行う手段と，
少なくとも紹介情報で指定された番組のタイトル情報と紹介者の情報を，指定された被紹介者の前記被紹介者端末に送出する手段と，
前記被紹介者端末から，紹介そのものや，紹介された番組の視聴を拒否する情報を取得し，前記紹介者端末に視聴を拒否された旨を示す情報を送出する手段と，
前記被紹介者端末からの紹介映像視聴要求に対し，前記紹介情報中の番組および場面を特定する情報に基づいて紹介映像を作成し，前記被紹介者端末に配信する手段と，
前記被紹介者端末からの本編映像視聴要求に対し，紹介者により紹介された番組の本編映像を特定し，前記被紹介者端末に配信する手段として機能させるためのプログラムと，
前記被紹介者端末のコンピュータを，
前記紹介配信サーバから取得した，紹介される番組のタイトル情報と紹介者の情報を表示し，被紹介者の視聴を拒否する入力があった場合に，前記紹介配信サーバに視聴拒否情報を送出する手段と，
被紹介者の入力により，前記紹介映像の視聴を前記紹介配信サーバに要求する手段と，
前記紹介配信サーバから配信された前記紹介映像を表示する手段と，
被紹介者の入力により，紹介された番組の本編映像の視聴を前記紹介配信サーバに要求する手段と，
前記紹介配信サーバから配信された前記本編映像を表示する手段として機能させるためのプログラムと
からなる番組紹介・情報提供システム用プログラム。
【発明の詳細な説明】
【０００１】
【発明の属する技術分野】
本発明は, 街頭端末で番組を視聴している最中に, その番組の特定の場面を特定の者に紹介する番組紹介システムに関するものである。
【０００２】
本発明で街頭端末とは, 街頭にあり主に通行人やその場に居合わせる人など, 不特定多数に番組を見せることを目的とし, 少なくとも番組表示手段および紹介者端末と番組情報を通信する手段を持つ端末をいう。
【０００３】
本発明で紹介する番組とは, 電波またはインターネット等の通信網により放送もしくは配信されている映像コンテンツ, 記憶媒体から再生されている映像コンテンツ, または当該映像コンテンツを一旦記憶媒体に蓄積して，時間をずらして再生する映像コンテンツをいう。これらのコンテンツには, コンテンツ情報が付与されている。コンテンツ情報とは, 紹介される番組を特定する情報であり, コンテンツごとにユニークに付与されるＩＤ等である。番組が電波放送されているものであればチャンネル番号でもよい。
【０００４】
【従来の技術】
従来, 番組を紹介する方法に関連する技術, 携帯端末を用いて情報を受信する方法に関連する技術, さらに視聴中の番組の詳細情報を取得する技術としては以下のような技術があった。
（１）紹介者の入力により紹介場面を特定して番組を紹介する。
（特願2001-13967号「番組紹介システム, 番組紹介処理方法, 紹介者端末用プログラム, 紹介配信サーバ用プログラムおよび被紹介者端末用プログラム」）
（２）大勢が集まる場所で, 携帯端末に情報を受信する。
（特開平7-319676号「携帯端末装置」）
（３）放送視聴中にボタン押下などの操作により, 番組に関する詳細情報を取得する。
（特開平9-160852号「情報提供装置」）
【０００５】
【発明が解決しようとする課題】
しかし, 上記の従来の技術には以下のような問題があった。
（１）特願2001-13967号（番組紹介システム, 番組紹介処理方法, 紹介者端末用プログラム, 紹介配信サーバ用プログラムおよび被紹介者端末用プログラム）の技術では, 紹介される映像は紹介者により選択されたものであり, 街頭で視聴した番組を紹介することができない。
（２）特開平7-319676号（携帯端末装置）の技術では, ユーザの操作が行われた時間情報は受信しないので，受信する情報はユーザによらず一意のものになってしまい, 場面を特定して紹介することができない。
（３）特開平9-160852号（情報提供装置）の技術では, 情報を取得した場所に関する情報を取り込まないので, 街頭端末や被紹介者がいる場所に関連する情報を付加することができない。
【０００６】
本発明は以上のような問題点に鑑みてなされたものであり, 街頭で視聴した番組の特定の場面を特定の者に紹介できるシステムを提供することを目的とする。副次的に, 番組が流れていた街頭端末や被紹介者がいる場所の周辺に関連する情報を, 番組紹介とともに被紹介者に提供することを目的とする。
【０００７】
【課題を解決するための手段】
上記目的を達成するため, 本発明に係るシステムは, ネットワークで接続される紹介者端末と街頭端末と紹介配信サーバと被紹介者端末からなる。紹介者端末と街頭端末は，少なくともどちらかがネットワークに接続されていればよい。
【０００８】
紹介者端末は, 街頭端末から発信される番組に関する情報（番組情報）を受信する手段と, 被紹介者を特定する情報（被紹介者情報）, 紹介する番組および場面を特定する情報（時間情報）を取得する手段と, 紹介者情報, 被紹介者情報, 番組・場面特定情報から紹介情報を作成し紹介配信サーバへ送出する手段とを備えた携帯端末, あるいは移動体端末である。街頭端末は, 番組表示手段と, 番組情報発信手段とを備えた端末である。紹介配信サーバは, 紹介者端末あるいは街頭端末から紹介情報を取得すると, その紹介情報に基づいて紹介映像を作成し被紹介者端末に配信する手段と, 被紹介者からの要求に基づいて本編映像を特定し被紹介者端末に配信する手段と, 街頭端末関連情報を被紹介者端末に配信する手段とを備えた装置である。ここで, 街頭端末関連情報とは, 街頭端末が設置してある場所やその周辺店舗の広告等で, 紹介配信サーバがあらかじめ保持していてもよいし, その都度取得してもよい。被紹介者端末は, 紹介配信サーバから紹介映像情報を受信する手段と, 紹介映像および本編映像の視聴を要求する手段と, 紹介映像および本編映像を表示する手段とを備える。ここで紹介映像情報とは, 番組紹介が届いている旨を示す情報で, 少なくとも番組タイトル, 紹介者情報で構成される。また番組タイトルとは, コンテンツ情報と１：１で対応する, 番組のタイトル情報である。
【０００９】
または, 紹介者端末は, 街頭端末から発信される番組情報を用いて, 紹介依頼情報を作成し街頭端末に送出する手段を備え, 街頭端末は, 番組表示手段と, 番組情報発信手段と, 紹介者からの紹介依頼情報を受信すると紹介番組（コンテンツ情報）を特定して紹介情報を作成し, 紹介配信サーバに送出する手段とを備える。紹介配信サーバは, 被紹介者端末の位置情報に基づいて, 被紹介者端末の周辺関連情報を取得し, 被紹介者端末に配信する手段を備える。ここで被紹介者端末の周辺関連情報とは, 被紹介者端末が番組紹介を受けた時の場所および周辺にある店舗の広告等で, 紹介配信サーバがあらかじめ保持していてもよいし, その都度取得してもよい。被紹介者端末は, 位置情報を取得する手段と, 紹介配信サーバから配信された周辺関連情報を表示する手段とを備える。
【００１０】
以上の各手段は, 紹介者端末, 街頭端末, 紹介配信サーバ, 被紹介者端末が備えるコンピュータに実行させるソフトウエア・プログラムによって実現することができる。
【００１１】
【発明の実施の形態】
以下, 本発明の実施の形態を, 図を用いて説明する。
【００１２】
［第１の実施の形態（実施例１）］
図１は, 本発明の第１の実施の形態に係るシステム構成例を示す図である。本システムは, 視聴者が街頭端末で番組を視聴中に, 任意の視聴者に場面を特定してその番組を紹介し, さらに紹介する番組が放映されていた街頭端末に関連する情報を被紹介者端末に提供する番組紹介および情報提供システムであり, 紹介配信サーバ１, 街頭端末２, 紹介者端末３, 被紹介者端末４からなる。なお, 本実施の形態では，紹介配信サーバ１は単一のサーバとして説明するが, 各手段を複数の装置に分散させて配置してもよい。
【００１３】
紹介配信サーバ１は, 紹介者端末３および被紹介者端末４とネットワークにより接続され, 紹介情報Ｒ１を取得すると, 紹介要求が許可されている条件を満たしているかどうかの承認処理を行い, 紹介映像情報Ｒ３を被紹介者端末４に送出する。ここで紹介情報Ｒ１は, 少なくともコンテンツ情報Ｃ, 時間情報Ｔ, 街頭端末情報Ｇ, 紹介者情報Ａ, 被紹介者情報Ｂで構成される。紹介者による紹介メッセージが含まれていてもよい。また, 被紹介者端末４からの要求に応じて紹介映像Ｖ, 番組本編を特定し, 街頭端末関連情報ＡＤ１を取得して被紹介者端末４に配信したり, 視聴の拒否情報Ｄ２を紹介者に送出したりする。
【００１４】
街頭端末２は, 番組情報としてコンテンツ情報Ｃ, 時間情報Ｔ, および街頭端末情報Ｇを常時発信する。
【００１５】
紹介者端末３は, 被紹介者情報を特定し, 街頭端末２から受信した番組情報を用いて紹介情報Ｒ１を作成し, 紹介配信サーバ１へ送出する。街頭端末２から受信する方法として, 無線通信やバーコードの読み取り等の方法を用いることができる。
【００１６】
被紹介者端末４は, 紹介配信サーバ１から紹介映像情報Ｒ３を取得すると, 番組紹介を受ける場合に紹介映像視聴要求Ｒ４を紹介配信サーバ１へ送出し, 紹介映像Ｖを受け取り表示する。さらに, 紹介された番組を視聴する場合には, 続本編視聴要求Ｒ５あるいは全本編視聴要求Ｒ６を紹介配信サーバ１へ送出し, 配信された続本編Ｈ１あるいは全本編Ｈ２表示する。ここで続本編Ｈ１とは, 紹介された場面から開始される本編映像で, 全本編Ｈ２とは, 紹介された番組の始めから開始される本編のことである。また, 視聴を拒否する場合には, 視聴拒否Ｄ１を紹介配信サーバ１へ送出する。
【００１７】
紹介者は他の視聴者だけでなく自分自身を被紹介者としてもよく, 自宅のテレビ等の端末を被紹介者端末４とすることで, 街頭端末２で視聴した続きの映像を, 時間と場所を変えて改めて視聴することができる。番組の最初から見ることも可能である。
【００１８】
さらに, 紹介配信サーバ１が, 街頭端末開連情報ＡＤ１を取得し被紹介者端末４に配信することで, 街頭端末２が設置されている場所やその周辺の店舗の広告等を, 不特定多数の視聴者に対して露出する機会を増やすことができる。
【００１９】
図１に示す各手段について説明する。街頭端末２は, 番組表示手段２１と, 番組情報発信手段２２を備える。番組情報発信手段２２は, コンテンツ情報Ｃ, 時間情報Ｔ, 街頭端末情報Ｇを無線等により常時発信する。
【００２０】
紹介者端末３は，番組情報受信手段３１, 紹介情報作成・送出手段３２, 無効情報表示手段３３を備える。番組情報受信手段３１で街頭端末２から番組情報を受信し, 紹介情報作成・送出手段３２で, 紹介者情報Ａと被紹介者情報Ｂを特定し, これと番組情報を用いて紹介情報Ｒ１を作成して紹介配信サーバ１へ送出する。紹介配信サーバ１から紹介無効情報Ｍまたは拒否情報Ｄ２を取得した場合には, 無効情報表示手段３３で表示する。
【００２１】
紹介配信サーバ１は, 紹介要求承認手段１１, 紹介映像情報作成・送出手段１２, 街頭端末関連情報・周辺関連情報取得手段１３, 紹介映像作成・配信手段１４, 本編映像特定・配信手段１５, 紹介ＩＤ保持手段１６, 視聴拒否処理手段１７を備える。
【００２２】
紹介配信サーバ１は, 紹介者端末３から紹介情報Ｒ１を取得すると, 紹介要求承認手段１１で紹介要求が許可されている条件を満たしているかどうかを判定する。紹介映像情報作成・送出手段１２で, 番組タイトルＰと紹介者情報Ａを用いて紹介映像情報Ｒ３を作成し, 被紹介者端末４に送出する。被紹介者端末４から紹介映像視聴要求Ｒ４を取得すると, 街頭端末関連情報・周辺関連情報取得手段１３で街頭端末関連情報ＡＤ１を取得し, 紹介映像作成・配信手段１４で作成した紹介映像Ｖとともに被紹介者端末４に配信する。
【００２３】
被紹介者端末４から続本編視聴要求Ｒ５あるいは全本編視聴要求Ｒ６を取得すると, 本編映像特定・配信手段１５で続本編Ｈ１あるいは全本編Ｈ２を特定し被紹介者端末４に配信する。街頭端末関連情報ＡＤ１は，続本編Ｈ１や全本編Ｈ２とともに配信してもよい。紹介者端末３や被紹介者端末４と紹介配信サーバ１との間でやり取りする情報量を減らすために, 行われた紹介に紹介ＩＤ保持手段１６でＩＤを付与して, 紹介ＩＤと紹介情報Ｒ１, 紹介者情報Ａ, 被紹介者情報Ｂ, 番組タイトルＰとを対応させて保持してもよい。被紹介者端末４から視聴拒否Ｄ１を取得した場合には, 視聴拒否処理手段１７を用いて紹介者端末３に拒否情報Ｄ２を送出する。
【００２４】
被紹介者端末４は, 紹介映像情報表示手段４１, 紹介映像要求手段４２, 映像表示手段４３, 本編映像要求手段４４を備える。紹介配信サーバ１から紹介映像情報Ｒ３を取得すると, 紹介映像情報表示手段４１で表示する。被紹介者の入力により, 紹介映像要求手段４２および本編映像要求手段４４で, 紹介映像視聴要求Ｒ４, および続本編視聴要求Ｒ５あるいは全本編視聴要求Ｒ６を作成し, 紹介配信サーバ１へ送出する。映像表示手段４３で, 紹介配信サーバ１より配信された紹介映像Ｖおよび続本編Ｈ１または全本編Ｈ２を表示する。
【００２５】
図２〜図５を用いて, 第１の実施の形態における処理を説明する。図２は，街頭端末２の処理フロー図である。街頭端末２では, 番組を表示する（ステップＳ２０１）。さらに，表示した番組に関するコンテンツ情報Ｃ, 時間情報Ｔ, 街頭端末情報Ｇを, 無線等を用いて設置場所周辺の不特定多数に対し常時発信する（ステップＳ２０２）。ステップＳ２０３以降は第２の実施の形態における処理フローであり, 後述する。
【００２６】
図３は，紹介者端末３の処理フロー図である。紹介者端末３では, 電源が付けられた際に紹介者情報Ａを取得しておく（ステップＳ３０１）。紹介者情報Ａは, あらかじめ視聴者もしくは視聴者の端末に対してユニークに付与したＩＤでもよいし, ユニークであれば名前やアドレス情報のようなものでもよい。紹介者の入力により, 街頭端末２から発信される番組情報を取得する（ステップＳ３０２）。時間情報Ｔは紹介者の操作が行われた瞬間に特定される。また，紹介者の入力により被紹介者情報Ｂを取得する（ステップＳ３０３）。
【００２７】
次に，コンテンツ情報Ｃ, 時間情報Ｔ, 街頭端末情報Ｇ, 紹介者情報Ａ, 被紹介者情報Ｂを用いて紹介情報Ｒ１を作成し, 紹介配信サーバ１へ送出する（ステップＳ３０４）。紹介配信サーバ１において紹介要求承認が通らなかった場合, 紹介無効情報Ｍを取得して表示し, 紹介処理を終了する（ステップＳ３０５〜Ｓ３０６）。拒否情報Ｄ２を取得した場合には，拒否情報Ｄ２を表示して終了し, 拒否情報Ｄ２を取得しない場合には，そのまま何もしないで終了する（ステップＳ３０７〜Ｓ３０８）。
【００２８】
図４は，紹介配信サーバ１の処理フロー図である。紹介者端末３から紹介情報Ｒ１を取得し（ステップＳ４０１）, 紹介要求承認処理を行う（ステップＳ４０２）。承認されない場合には, 紹介者端末３に紹介無効情報Ｍを送出する（ステップＳ４０３）。承認されればコンテンツ情報Ｃから番組タイトルＰを特定する（ステップＳ４０４）。続いて，紹介ＩＤを付与し, 紹介ＩＤと紹介情報Ｒ１, 紹介者情報Ａ, 被紹介者情報Ｂ, 番組タイトルＰを対応させて保持する（ステップＳ４０５）。
【００２９】
次に，紹介ＩＤ, 番組タイトルＰ, 紹介者情報Ａを用いて紹介映像情報Ｒ３を作成し, 被紹介者端末４に送出する（ステップＳ４０６）。被紹介者端末４から視聴拒否Ｄ１を取得した場合には, 拒否情報Ｄ２を紹介者端末３に送出して処理を終了する（ステップＳ４０７, Ｓ４１２）。取得しない場合には，街頭端末関連情報ＡＤ１を特定する（ステップＳ４０８）。被紹介者端末４から紹介映像視聴要求Ｒ４を取得した場合には, 紹介映像Ｖを作成し被紹介者端末４へ送出する（ステップＳ４０９〜Ｓ４１０）。これに対し，被紹介者端末４から視聴拒否Ｄ１を取得した場合には, 拒否情報Ｄ２を紹介者端末３に送出して処理を終了する（ステップＳ４１１〜Ｓ４１２）。
【００３０】
紹介映像視聴要求Ｒ４を取得しない場合および視聴拒否Ｄ１を取得しない場合には, 被紹介者端末４からの続本編視聴要求Ｒ５の取得の有無を監視し（ステップＳ４１３）, 取得した場合には続本編Ｈ１を特定して配信（ステップＳ４１４）, 取得しない場合には全本編Ｈ２を特定して配信して終了する（ステップＳ４１５）。
【００３１】
図５は，被紹介者端末４の処理フロー図である。被紹介者端末４は，紹介配信サーバ１から紹介映像情報Ｒ３を取得する（ステップＳ５０１）。紹介映像情報Ｒ３から番組タイトルＰと紹介者情報Ａとを抽出して表示する（ステップＳ５０２）。被紹介者による視聴拒否Ｄ１の入力の有無を監視し（ステップＳ５０３）, 入力があれば視聴拒否Ｄ１を紹介配信サーバ１に送出して処理を終了する（ステップＳ５０８）。
【００３２】
視聴拒否Ｄ１の入力がない場合, 紹介映像を視聴せずに本編を視聴するという入力の有無を監視し（ステップＳ５０４）, その入力がない場合, 紹介映像視聴要求Ｒ４を作成し紹介配信サーバ１へ送出する（ステップＳ５０５）。紹介配信サーバ１から紹介映像を取得すると，その配信された紹介映像Ｖを表示する（ステップＳ５０６）。本編視聴の入力を監視し（ステップＳ５０７）, 本編視聴の入力がない場合には視聴拒否Ｄ１を紹介配信サーバ１に送出し処理を終了する（ステップＳ５０８）。
【００３３】
ステップＳ５０４とステップＳ５０７において本編視聴の入力があった場合, 紹介場面からの本編視聴の要求の有無を監視する（ステップＳ５０９）。紹介場面からの視聴要求があった場合には, 続本編映像視聴要求Ｒ５を作成して紹介配信サーバ１に送出し, 配信された続本編Ｈ１を表示して処理を終了する（ステップＳ５１０, Ｓ５１２）。その他の場合には，全本編視聴要求Ｒ６を作成して紹介配信サーバ１に送出し, 配信された全本編Ｈ２を表示して処理を終了する（ステップＳ５１１, Ｓ５１３）。
【００３４】
図６は, 本実施の形態におけるサーバと各端末間のシーケンス図である。
【００３５】
紹介者情報Ａおよび街頭端末２により常時発信（ステップＳ２０１〜Ｓ２０２）されたコンテンツ情報Ｃ, 時間情報Ｔ, 街頭端末情報Ｇを取得するとともに，被紹介情報Ｂを紹介者端末３で取得し（ステップＳ３０１〜Ｓ３０３）, 紹介情報作成処理により作成された紹介情報Ｒ１を紹介配信サーバ１に送出する（ステップＳ３０４）。
【００３６】
紹介配信サーバ１で紹介情報Ｒ１を取得すると, 紹介要求承認処理を行い, 紹介が無効の場合には紹介無効情報Ｍを紹介者端末３に送出する（ステップＳ４０１〜Ｓ４０３）。紹介要求が有効の場合, 紹介映像情報作成処理において紹介映像情報Ｒ３を作成し, 被紹介者端末４に送出する（ステップＳ４０４〜Ｓ４０６）。
【００３７】
被紹介者端末４で, 紹介映像情報Ｒ３を取得すると，紹介映像情報表示処理で表示し（ステップＳ５０１，Ｓ５０２）, 紹介映像を視聴しない場合には視聴拒否Ｄ１を紹介配信サーバ１に送出し（ステップＳ５０３, Ｓ５０８）, 紹介映像を視聴する場合には, 紹介映像視聴要求作成処理により紹介映像視聴要求Ｒ４を作成し紹介配信サーバ１に送出する（ステップＳ５０４，Ｓ５０５）。
【００３８】
紹介配信サーバ１で, 視聴拒否Ｄ１を取得した場合には，拒否情報Ｄ２を紹介者端末３に送出し（ステップＳ４０７, Ｓ４１２）, 紹介映像視聴要求Ｒ４を取得した場合には, 街頭端末関連情報取得処理により街頭端末関連情報ＡＤ１を取得し（ステップＳ４０８〜Ｓ４０９）, 紹介映像作成・配信処理により紹介映像Ｖを作成して被紹介者端末４に配信する（ステップＳ４１０）。
【００３９】
被紹介者端末４では, 配信された紹介映像Ｖを紹介映像表示処理により表示する（ステップＳ５０６）。本編映像を視聴しない場合には, 拒否情報Ｄ１を紹介配信サーバ１に送出し（ステップＳ５０７，Ｓ５０８）, 本編映像を視聴する場合には, 本編映像視聴要求処理により続本編視聴要求Ｒ５あるいは全本編視聴要求Ｒ６を作成し, 紹介配信サーバ１に送出する（ステップＳ５０９〜Ｓ５１１）。
【００４０】
紹介配信サーバ１で視聴拒否Ｄ１を取得した場合には, 視聴拒否処理手段１７により拒否情報Ｄ２を紹介者端末３に送出する（ステップＳ４１１，Ｓ４１２）。続本編視聴要求Ｒ５あるいは全本編視聴要求Ｒ６を取得した場合には, 本編映像特定・配信処理により続本編Ｈ１あるいは全本編Ｈ２を特定し, 被紹介者端末４に配信する（ステップＳ４１３〜Ｓ４１５）。
【００４１】
被紹介者端末４で, 本編映像表示処理において続本編Ｈ１あるいは全本編Ｈ２を表示する（ステップＳ５１２，Ｓ５１３）。
【００４２】
紹介者端末３で拒否情報Ｄ２を取得すると, 拒否情報表示処理により拒否情報Ｄ２を表示する（ステップＳ３０７，Ｓ３０８）。
【００４３】
［第２の実施の形態（実施例２）］
図７は, 本発明の第２の実施の形態に係るシステム構成例を示す図である。本システムは, 視聴者が街頭端末で番組を視聴中に, 任意の視聴者に場面を特定してその番組を紹介し, さらに紹介を受けた時の被紹介者端末の場所に関連する情報を被紹介者端末に提供する番組紹介および情報提供システムであり, 紹介配信サーバ１, 街頭端末２, 紹介者端末３, 被紹介者端末４からなる。第２の実施の形態におけるシステムの構成は, 第１の実施の形態におけるシステムの構成とほぼ同じであるが, さらに街頭端末２にコンテンツ情報特定手段２３と，紹介情報作成・送出手段２４とを備え, 被紹介者端末４に位置情報取得手段４５を備える。また, 紹介者端末３に, 紹介情報作成・送出手段３２の代わりに紹介依頼情報作成・送出手段３４を備えた構成となっている。
【００４４】
前述した第１の実施の形態では, 紹介者端末３から紹介配信サーバ１に紹介情報Ｒ１を送出するのに対し, 第２の実施の形態では, 紹介者端末３から街頭端末２に紹介依頼情報Ｒ２を送出し, 街頭端末２が紹介情報Ｒ１を作成して紹介配信サーバ１に送出する。
【００４５】
また, 第１の実施の形態では, 紹介配信サーバ１は，街頭端末関連情報ＡＤ１を紹介映像Ｖまたは本編映像ともに披紹介者端末４に配信するが, 第２の実施の形態では, 紹介配信サーバ１は, 街頭端末関連情報ＡＤ１だけでなく, 被紹介者端末４により取得された被紹介者端末４の位置情報Ｌに基づき周辺関連情報ＡＤ２を取得し, 被紹介者端末４に配信する。ここで周辺関連情報ＡＤ２とは, 被紹介者端末４が携帯端末または移動体端末である場合に, 紹介を受けた場所およびその周辺の店舗の広告等である。
【００４６】
紹介者端末３の紹介依頼情報作成・送出手段３４は, 番組情報受信手段３１で街頭端末２から受信した時間情報Ｔ, 街頭端末情報Ｇおよび紹介者情報Ａ, 被紹介者情報Ｂを用いて紹介依頼情報Ｒ２を作成し, 街頭端末２に送出する。
【００４７】
街頭端末２のコンテンツ情報特定手段２３は, 紹介者端末２から紹介依頼情報Ｒ２を取得すると, 時間情報Ｔを用いて紹介者が紹介しようとしている番組のコンテンツ情報Ｃを特定する。紹介情報作成・送出手段２４は, 第１の実施の形態における紹介者端末３の紹介情報作成・送出手段３２と同様に, 紹介情報Ｒ１を作成し紹介配信サーバ１に送出する。
【００４８】
被紹介者端末４の位置情報取得手段４５は, 紹介映像情報Ｒ３が表示された時の, 被紹介者端末４の位置情報Ｌを取得する。その方法はＧＰＳ（Global Positioning Systems）等による。
【００４９】
紹介配信サーバ１の街頭端末関連情報・周辺関連情報取得手段１３は, 被紹介者端末４から位置情報Ｌを取得すると, 周辺関連情報ＡＤ２を取得する。
【００５０】
第２の実施の形態では, 紹介者端末３から街頭端末２に紹介依頼情報Ｒ２を送出して紹介を依頼し, 街頭端末２が紹介情報Ｒ１を作成して紹介配信サーバ１に送出するので, 紹介者端末３は街頭端末３との通信手段を備えていればよく, 必ずしもネットワークに接続されていなくてもよい。
【００５１】
また, 紹介が行われた時の被紹介者端末４の位置情報Ｌを利用することにより, 被紹介者端末４の周辺の店舗等が広告の露出機会を増やすことができる。
【００５２】
第２の実施の形態における処理は, 第１の実施の形態における処理と同様な部分が多いので, 街頭端末２, 紹介者端末３, 紹介配信サーバ１に関しては, 図２〜図４を用いて異なる部分のみを説明し, 被紹介者端末４については図８を用いて異なる部分のみを説明する。その他の説明は省略する。
【００５３】
図２において, 街頭端末２では, 紹介者端末３から紹介依頼情報Ｒ２を取得すると（ステップＳ２０３）, 時間情報Ｔを用いて紹介者が紹介しようとしている番組のコンテンツ情報Ｃを取得し（ステップＳ２０４）, 紹介情報Ｒ１を作成して紹介配信サーバ１へ送出する（ステップＳ２０５）。
【００５４】
図３において, 紹介者端末３は, ステップＳ３０２で街頭端末２から受信するのは時間情報Ｔと街頭端末情報Ｇのみであり, ステップＳ３０４で時間情報Ｔ, 街頭端末情報Ｇ, 紹介者情報Ａ, 被紹介者情報Ｂを用いて紹介依頼情報Ｒ２を作成し街頭端末２に送出する。
【００５５】
図４において, 紹介配信サーバ４は, ステップＳ４０８で被紹介者端末４から位置情報Ｌを取得し, 周辺関連情報ＡＤ２を取得する。
【００５６】
図８において, 被紹介者端末４は, ステップＳ８０４で位置情報Ｌを取得し, ステップＳ８０７で位置情報Ｌを紹介配信サーバ１へ送出する。また, ステップＳ８０８で紹介配信サーバ１から配信された周辺関連情報ＡＤ２を表示する。
【００５７】
図９は, 本実施の形態におけるサーバと各端末間のシーケンス図である。紹介者端末３では，最初に紹介者情報取得処理により紹介者情報を取得しておき（ステップＳ３０１），その後，街頭端末２により常時発信（ステップＳ２０１〜Ｓ２０２）された時間情報Ｔ, 街頭端末情報Ｇを紹介者端末３で取得し（ステップＳ３０２〜Ｓ３０３）, 紹介依頼情報作成処理により作成された紹介依頼情報Ｒ２を紹介配信サーバ１に送出する（ステップＳ３０４）。
【００５８】
街頭端末２で, 紹介依頼情報Ｒ２を取得すると, 紹介情報作成処理により紹介情報Ｒ１を作成し, 紹介配信サーバ１へ送出する（ステップＳ２０３〜Ｓ２０５）。
【００５９】
紹介配信サーバ１で, 紹介情報Ｒ１を取得すると紹介要求承認処理を行い, 紹介が無効の場合には紹介無効情報Ｍを紹介者端末３に送出する（ステップＳ４０１〜Ｓ４０３）。紹介要求が有効の場合, 紹介映像情報作成処理において紹介映像情報Ｒ３を作成し, 被紹介者端末４に送出する（ステップＳ４０４〜Ｓ４０６）。
【００６０】
被紹介者端末４で, 紹介映像情報Ｒ３を取得すると，紹介映像情報表示処理で表示し（ステップＳ８０１，Ｓ８０２）, 紹介映像を視聴しない場合には視聴拒否Ｄ１を紹介配信サーバ１に送出し（ステップＳ８０３, Ｓ８１０）, 視聴拒否Ｄ１の入力がない場合には位置情報取得処理により位置情報Ｌを取得する（ステップＳ８０４）。そして紹介映像視聴要求作成処理により紹介映像視聴要求Ｒ４を作成し, 位置情報Ｌと紹介映像視聴要求Ｒ４を紹介配信サーバ１に送出する（ステップＳ８０５〜Ｓ８０７）。
【００６１】
紹介配信サーバ１で, 視聴拒否Ｄ１を取得した場合には拒否情報Ｄ２を紹介者端末３に送出し（ステップＳ４０７, Ｓ４１２）, 位置情報Ｌおよび紹介映像視聴要求Ｒ４を取得した場合には, 周辺関連情報取得処理により周辺関連情報ＡＤ２を取得する（ステップＳ４０８，Ｓ４０９）。紹介映像作成・配信処理により紹介映像Ｖを作成して, 周辺関連情報ＡＤ２および紹介映像Ｖを被紹介者端末４に配信する（ステップＳ４１０）。
【００６２】
被紹介者端末４では, 配信された周辺関連情報ＡＤ２および紹介映像Ｖを紹介映像表示処理により表示する（ステップＳ８０８）。本編映像を視聴しない場合には, 拒否情報Ｄ１を紹介配信サーバ１に送出し（ステップＳ８０９，Ｓ８１０）, 本編映像を視聴する場合には, 本編映像視聴要求処理により続本編視聴要求Ｒ５あるいは全本編視聴要求Ｒ６を作成し, 紹介配信サーバ１に送出する（ステップＳ８１１〜Ｓ８１３）。
【００６３】
紹介配信サーバ１で視聴拒否Ｄ１を取得した場合には, 視聴拒否処理手段により拒否情報Ｄ２を紹介者端末３に送出する（ステップＳ４１１，Ｓ４１２）。続本編視聴要求Ｒ５あるいは全本編視聴要求Ｒ６を取得した場合には, 本編映像特定・配信処理により続本編Ｈ１あるいは全本編Ｈ２を特定し, 被紹介者端末４に配信する（ステップＳ４１３〜Ｓ４１５）。
【００６４】
被紹介者端末４で, 本編映像表示処理において続本編Ｈ１あるいは全本編Ｈ２を表示する（ステップＳ８１４，Ｓ８１５）。
【００６５】
紹介者端末３で拒否情報Ｄ２を取得すると, 拒否情報表示処理により拒否情報Ｄ２を表示する（ステップＳ３０７，Ｓ３０８）。
【００６６】
以上説明した本実施の形態におけるシステムを構成する各手段もしくは本発明に係る方法は, コンピュータが実行可能なソフトウエア・プログラムによって実現することができる。
【００６７】
【発明の効果】
以上説明したように, 本発明によれば, 街頭端末にて流れている番組の特定の場面を特定の者に紹介することができる。自分宛に紹介すれば, 自宅などで街頭で視聴した続きから視聴することができる。
【００６８】
さらに, 紹介映像や本編映像とともに, 街頭端末に関連する情報や, 被紹介者端末が携帯端末または移動体端末であれば被紹介者がいる場所の周辺に関連する情報を, 被紹介者に提供することができる。
【図面の簡単な説明】
【図１】本発明の第１の実施の形態におけるシステム構成例を示す図である。
【図２】街頭端末の処理フロー図である。
【図３】紹介者端末の処理フロー図である。
【図４】紹介配信サーバの処理フロー図である。
【図５】第１の実施の形態における被紹介者端末の処理フロー図である。
【図６】第１の実施の形態におけるシーケンス例を示す図である。
【図７】本発明の第２の実施の形態におけるシステム構成例を示す図である。
【図８】第２の実施の形態における被紹介者端末の処理フロー図である。
【図９】第２の実施の形態におけるシーケンス例を示す図である。
【符号の説明】
１    紹介配信サーバ
１１  紹介要求承認手段
１２  紹介映像情報作成・送出手段
１３  街頭端末関連情報・周辺関連情報取得手段
１４  紹介映像作成・配信手段
１５  本編映像特定・配信手段
１６  紹介ＩＤ保持手段
１７  視聴拒否処理手段
２    街頭端末
２１  番組表示手段
２２  番組情報発信手段
２３  コンテンツ情報特定手段
２４  紹介情報作成・送出手段
３    紹介者端末
３１  番組情報受信手段
３２  紹介情報作成・送出手段
３３  無効情報表示手段
３４  紹介依頼情報作成・送出手段
４    被紹介者端末
４１  紹介映像情報表示手段
４２  紹介映像要求手段
４３  映像表示手段
４４  本編映像要求手段
４５  位置情報取得手段
【図１】
0003825276.tif 000002
【図２】
0003825276.tif 000003
【図３】
0003825276.tif 000004
【図４】
0003825276.tif 000005
【図５】
0003825276.tif 000006
【図６】
0003825276.tif 000007
【図７】
0003825276.tif 000008
【図８】
0003825276.tif 000009
【図９】
0003825276.tif 000010